(57)【要約】【課題】小型で、安価であると共に、操作部材の共通化が図れる電気部品のクリック機構を提供する。【解決手段】本発明の電気部品のクリック機構は、互いに中心部に向かい合った係脱部１０ｂを有する複数の弾性脚１０ａと、係脱部１０ｂと係脱を行う膨出部１１ａ、及びこの膨出部１１ａと一体に設けられた軸部１１ｂを有する可動体１１と、この可動体１１と別体に設けられて、可動体１１を操作する操作部材１３とを備え、可動体１１の軸部１１ｂは、係脱部１０ｂ間を通って延びて配置され、可動体１１が操作部材１３によって直線移動した時、膨出部１１ａは、弾性脚１０ａの弾性に抗して係脱部１０ｂを外方に押し出した後、係脱部１０ｂ間から抜け出して、操作部材１３の移動にクリック感を持たせるようにしたため、その構成が簡単で、生産性が良く、小型で、安価なクリック機構が得られる。【選択図】        図１
2004260005.tif 000002
【特許請求の範囲】
【請求項１】
互いに中心部に向かい合った係脱部を有する複数の弾性脚と、前記係脱部と係脱を行う膨出部、及びこの膨出部と一体に設けられた軸部を有する可動体と、この可動体と別体に設けられて、前記可動体を操作する操作部材とを備え、前記可動体の前記軸部は、前記係脱部間を通って延びて配置され、前記可動体が前記操作部材によって直線移動した時、前記膨出部は、前記弾性脚の弾性に抗して前記係脱部を外方に押し出した後、前記係脱部間から抜け出して、前記膨出部が前記係脱部に対して係脱動作を行うことによって、前記操作部材の移動にクリック感を持たせるようにしたことを特徴とする電気部品のクリック機構。
【請求項２】
前記可動体を押圧するバネ部材を有し、前記操作部材によって前記可動体が直線移動した時、前記可動体は、前記バネ部材のバネ性に抗して移動すると共に、前記操作部材の操作力が解除された時、前記バネ部材によって前記可動体が元の位置の戻されるようにしたことを特徴とする請求項１記載の電気部品のクリック機構。
【請求項３】
前記バネ部材がコイルバネで形成されたことを特徴とする請求項２記載の電気部品のクリック機構。
【請求項４】
前記軸部にフランジ部が設けられ、前記フランジ部が前記係脱部の内面に係止されて、前記可動体の抜け止めを行うようにしたことを特徴とする請求項２，又は３記載の電気部品のクリック機構。
【請求項５】
前記膨出部が球状で形成されたことを特徴とする請求項２から４の何れかに記載の電気部品のクリック機構。
【請求項６】
前記可動体が金属材で形成されると共に、前記弾性脚、及び前記係脱部が合成樹脂で形成されたことを特徴とする請求項２から５の何れかに記載の電気部品のクリック機構。
【請求項７】
前記膨出部と当接する前記係脱部の外面には、前記膨出部を受け入れて、前記膨出部の位置決めを行う凹部が設けられたことを特徴とする請求項２から６の何れかに記載の電気部品のクリック機構。
【請求項８】
前記膨出部の端部には凸部が設けられ、前記可動体が移動した時、前記凸部が前記係脱部間に位置するようにしたことを特徴とする請求項２から７の何れかに記載の電気部品のクリック機構。
【請求項９】
複数の前記弾性脚を繋ぐ基部を有し、前記係脱部を設けた前記弾性脚と前記基部とで一つの支持部材が構成され、前記可動体が前記基部と前記係脱部によって直線移動可能に保持され、前記可動体と前記バネ部材が前記支持部材に取り付けられて、一つのブロック体として形成されたことを特徴とする請求項２から８の何れかに記載の電気部品のクリック機構。
【請求項１０】
前記基部には、側面が開放した切り欠き部を有し、前記軸部が前記切り欠き部に挿入可能としたことを特徴とする請求項９記載の電気部品のクリック機構。
【請求項１１】
前記支持部材は、前記操作部材を保持する枠体に取り付けられ、前記操作部材の移動時、前記操作部材は、前記可動体の係脱動作によってクリック感が得られると共に、電気的信号の切換が行われるようにしたことを特徴とする請求項９、又は１０記載の電気部品のクリック機構。
【請求項１２】
前記操作部材はスライド移動が可能となし、前記操作部材の移動終端近傍で、前記可動体が係脱動作を行うようにしたことを特徴とする請求項１１記載の電気部品のクリック機構。
【請求項１３】
前記支持部材にはスイッチ部が設けられて、一つの前記ブロック体として形成され、前記可動体の移動によって前記スイッチ部が操作されるようにしたことを特徴とする請求項９記載の電気部品のクリック機構。
【発明の詳細な説明】
【０００１】
【発明の属する技術分野】
本発明は放送局のスタジオミキサー等の電子機器に使用して好適な電気部品のクリック機構に関する。
【０００２】
【従来の技術】
従来の電気部品のクリック機構の図面を説明すると、図９は従来の電気部品のクリック機構に係る分解斜視図、図１０は従来の電気部品のクリック機構を示す要部の平面図、図１１は従来の電気部品のクリック機構の動作を示す説明図である。
【０００３】
次に、従来の電気部品のクリック機構の構成を図９〜図１１に基づいて説明すると、図９〜図１１に示された電気部品は、スライド型スイッチであって、合成樹脂の成型品からなり、カバー等の枠体を構成する箱形の取付台５１は、底壁５１ａと、この底壁５１ａに設けられたＵ字状の凸条からなる収納部５１ｂと、収納部５１ｂの外側面に凸壁５１ｃを有する。
【０００４】
帯状の絶縁基板５２は、収納部５１ｂと対向する位置に設けられた孔５２ａと、上面に設けられた共通接点５３，及び接点５４ａ、５４ｂを有し、この絶縁基板５２は、孔５２ａから収納部５１ｂを突出させた状態で、底壁５１ａ上に載置して、取付台５１に取り付けられている。
【０００５】
合成樹脂の成型品からなる操作部材５５は、平板状の基部５５ａと、この基部５５ａから上方に突出する操作部５５ｂと、基部５５ａの側方から突出し、凸部５５ｃを有する一対の腕部５５ｄを有し、この操作部材５５の基部５５ａの下面には、可動接点５６が取り付けられている。
【０００６】
また、収納部５１ｂ内には、コイルバネ５７が配置された状態で、操作部材５５が取付台５１にスライド移動可能に取り付けられると共に、一対の腕部５５ｄの凸部５５ｃは、凸壁５１ｃに係脱動作を行い、腕部５５ｄと凸壁５１ｃとでクリック機構が構成されている。
【０００７】
そして、操作部材５５の未作動時（初期位置）には、図１０に示すように、可動接点５６が共通接点５３と接点５４ａ間を短絡した状態にあると共に、一対の腕部５５ｄの凸部５５ｃは、凸壁５１ｃの左側に位置した状態となっている。
【０００８】
図１０の状態で、手動によって操作部材５５を矢印Ｂ方向にスライド移動すると、一対の腕部５５ｄの凸部５５ｃは、図１１に示すように、凸壁５１ｃを乗り越えて右側に移動し、この時、操作部材５５にクリック感が得られる。
また、操作部材５５の移動と共に可動した可動接点５６は、接点５４ａから離れた状態となる。
【０００９】
そして、図１１の状態で、手動によって操作部材５５を矢印Ｂ方向にスライドすると、操作部材５５はコイルバネ５７を圧縮しながら移動すると共に、可動接点５６が共通接点５３と接点５４ｂ間を短絡した状態となる。
また、この状態で操作部材５５の操作を解除すると、操作部材５５は、コイルバネ５７によって矢印Ａ方向に移動して、図１１の状態に戻り、可動接点５６は接点５４ｂから離れた状態となる。
【００１０】
更に、図１１の状態で、手動によって操作部材５５を矢印Ａ方向にスライド移動すると、図１０に示すように、腕部５５ｄの凸部５５ｃが凸壁５１ｃを乗り越えて左側に移動し、この時、操作部材５５にクリック感が得られると共に、可動接点５６は、共通接点５３と接点５４ａ間を短絡した状態となる。（例えば、特許文献１参照）
【００１１】
しかし、従来の電気部品のクリック機構は、操作部材５５に設けた腕部５５ｄと、カバー等の取付台５１に設けた収納部５１ｂの凸壁５１ｃとで構成されるため、操作部材５５，及び取付台５１の構成が複雑となって、生産性が悪く、コスト高になる。
【００１２】
また、クリック機構は、操作部材５５と取付台５１とで構成されるため、大型になるばかりか、操作部材５５には腕部５５ｄが設けられて、操作部材５５がクリック専用となっており、従って、クリック機構無しの場合、腕部無しの操作部材を用意する必要が生じ、操作部材の共通化が図れない。
【００１３】
【特許文献１】
特開平１１−３５３９６５号公報
【００１４】
【発明が解決しようとする課題】
従来の電気部品のクリック機構は、操作部材５５に設けた腕部５５ｄと、カバー等の取付台５１に設けた収納部５１ｂの凸壁５１ｃとで構成されるため、操作部材５５，及び取付台５１の構成が複雑となって、生産性が悪く、コスト高になるという問題がある。
また、クリック機構は、操作部材５５と取付台５１とで構成されるため、大型になるという問題がある。
また、操作部材５５には腕部５５ｄが設けられて、操作部材５５がクリック専用となっており、従って、クリック機構無しの場合、腕部無しの操作部材を用意する必要が生じ、操作部材の共通化が図れないという問題がある。
【００１５】
そこで、本発明は小型で、安価であると共に、操作部材の共通化が図れる電気部品のクリック機構を提供することを目的とする。
【００１６】
【課題を解決するための手段】
上記課題を解決するための第１の解決手段として、互いに中心部に向かい合った係脱部を有する複数の弾性脚と、前記係脱部と係脱を行う膨出部、及びこの膨出部と一体に設けられた軸部を有する可動体と、この可動体と別体に設けられて、前記可動体を操作する操作部材とを備え、前記可動体の前記軸部は、前記係脱部間を通って延びて配置され、前記可動体が前記操作部材によって直線移動した時、前記膨出部は、前記弾性脚の弾性に抗して前記係脱部を外方に押し出した後、前記係脱部間から抜け出して、前記膨出部が前記係脱部に対して係脱動作を行うことによって、前記操作部材の移動にクリック感を持たせるようにした構成とした。
【００１７】
また、第２の解決手段として、前記可動体を押圧するバネ部材を有し、前記操作部材によって前記可動体が直線移動した時、前記可動体は、前記バネ部材のバネ性に抗して移動すると共に、前記操作部材の操作力が解除された時、前記バネ部材によって前記可動体が元の位置の戻されるようにした構成とした。
【００１８】
また、第３の解決手段として、前記バネ部材がコイルバネで形成された構成とした。
また、第４の解決手段として、前記軸部にフランジ部が設けられ、前記フランジ部が前記係脱部の内面に係止されて、前記可動体の抜け止めを行うようにした構成とした。
【００１９】
また、第５の解決手段として、前記膨出部が球状で形成された構成とした。
また、第６の解決手段として、前記可動体が金属材で形成されると共に、前記弾性脚、及び前記係脱部が合成樹脂で形成された構成とした。
【００２０】
また、第７の解決手段として、前記膨出部と当接する前記係脱部の外面には、前記膨出部を受け入れて、前記膨出部の位置決めを行う凹部が設けられた構成とした。
また、第８の解決手段として、前記膨出部の端部には凸部が設けられ、前記可動体が移動した時、前記凸部が前記係脱部間に位置するようにした構成とした。
【００２１】
また、第９の解決手段として、複数の前記弾性脚を繋ぐ基部を有し、前記係脱部を設けた前記弾性脚と前記基部とで一つの支持部材が構成され、前記可動体が前記基部と前記係脱部によって直線移動可能に保持され、前記可動体と前記バネ部材が前記支持部材に取り付けられて、一つのブロック体として形成された構成とした。
また、第１０の解決手段として、前記基部には、側面が開放した切り欠き部を有し、前記軸部が前記切り欠き部に挿入可能とした構成とした。
【００２２】
また、第１１の解決手段として、前記支持部材は、前記操作部材を保持する枠体に取り付けられ、前記操作部材の移動時、前記操作部材は、前記可動体の係脱動作によってクリック感が得られると共に、電気的信号の切換が行われるようにした構成とした。
【００２３】
また、第１２の解決手段として、前記操作部材はスライド移動が可能となし、前記操作部材の移動終端近傍で、前記可動体が係脱動作を行うようにした構成とした。
また、第１３の解決手段として、前記支持部材にはスイッチ部が設けられて、一つの前記ブロック体として形成され、前記可動体の移動によって前記スイッチ部が操作されるようにした構成とした。
【００２４】
【発明の実施の形態】
本発明の電気部品のクリック機構の図面を説明すると、図１は本発明の電気部品のクリック機構の第１実施例に係る平面図、図２は本発明の電気部品のクリック機構の第１実施例に係る要部断面図、図３は本発明の電気部品のクリック機構の第１実施例に係り、クリック機構を示す斜視図、図４は本発明の電気部品のクリック機構の第１実施例に係り、絶縁基体の平面図である。
【００２５】
また、図５は本発明の電気部品のクリック機構の第１実施例に係り、その動作を示す説明図、図６は本発明の電気部品のクリック機構の第１実施例に係り、クリック動作後の状態を示す説明図、図７は本発明の電気部品のクリック機構の第２実施例を示す要部断面図、図８は本発明の電気部品のクリック機構の第３実施例を示す要部断面図である。
【００２６】
次に、本発明の電気部品のクリック機構の第１実施例に係る構成を図１〜図６に基づいて説明すると、図１〜図６で示す電気部品は、スタジオミキサーに用いられるスライド型可変抵抗器で構成され、カバー等を形成する枠体１は、金属板等で形成され、平板状の壁部１ａと、この壁部１ａの両端部から折り曲げられて、互いに対向した一対の側壁１ｂを有する。
【００２７】
絶縁材からなる絶縁基体２の一面は、図４に示すように、帯状の抵抗体３と、この抵抗体３の両端部に接続された帯状の導電体４ａ、４ｂと、抵抗体３に並設された導電体５と、導電体４ａに並設された帯状の共通接点部６と、この共通接点部６の大部分に並設された帯状の接点部７と、この接点部７から離れた状態で、共通接点部６に並設された接点部８が設けられている。
【００２８】
この絶縁基体２は、他面側が壁部１ａに載置された状態で、接着剤やカシメ等の適宜手段によって、枠体１に取り付けられている。
棒状の一対のガイド部材９は、互いに平行な状態で、一対の側壁１ｂ間に張架されている。
【００２９】
一つのブロック体で形成されたクリック機構Ｋは、支持部材１０と、この支持部材に１０に取り付けられた可動体１１と、支持部材１０に取り付けられ、可動体１１を押圧するバネ部材１２によって構成されている。
【００３０】
合成樹脂の成型品からなる支持部材１０は、特に図３に示すように、互いに間隔をおいて配置された複数の弾性脚１０ａと、この弾性脚１０ａのそれぞれの一端部に設けられ、互いに中心部に向かい合った係脱部１０ｂと、複数の弾性脚１０ａの他端部側を繋ぐ基部１０ｃと、一対の弾性脚１０ｂ間に位置する基部１０ｃに設けられ、基部１０ｃの側面が開放した切り欠き部１０ｄと、基部１０ｃの両端側に設けられた一対の取付孔１０ｅを有する。
【００３１】
また、互いに対向して配置された係脱部１０ｂの先端部間は、互いに間隔をおいて配置されると共に、ここでは図示しないが、係脱部１０ｂの外面には、後述する膨出部１１ａを受け入れて、膨出部１１ａを位置決めするための凹部が設けられている。
【００３２】
なお、この実施例では、２個の弾性脚で構成したもので説明したが、１２０度の間隔で配置された３個の弾性脚、或いは９０度の間隔で配置された４個の弾性脚で構成されたものでも良く、この場合、弾性脚のそれぞれに設けられた係脱部は、互いに中心部に向かい合った状態で配置された構成となっている。
【００３３】
金属材で形成された可動体１１は、球状等からなる膨出部１１ａと、膨出部１１ａから外方に延び、膨出部１１ａの外径より小さい外径からなる軸部１１ｂと、膨出部１１ａから間隔をおいて軸部１１ｂに設けられたフランジ部１１ｃと、軸部１１ｂと反対側の位置で、膨出部１１ｂから突出する凸部１１ｄを有する。
【００３４】
この可動体１１は、膨出部１１ａとフランジ部１１ｃとの間に形成される小径のくびれ部が一対の係脱部１０ｂ間の隙間から一対の係脱部１０ｂ間の中央部に圧入されて、膨出部１１ａが係脱部１０ｂの外面に設けられた凹部内に位置すると共に、軸部１１ｂの端部が切り欠き部１０ｄを通って、基部１０ｃの中央部に位置した状態となる。
即ち、２個の係脱部１０ｂは、軸部１１ｂ（中心部）に対して向かい合った状態となっている。
【００３５】
コイルバネからなるバネ部材１２は、軸部１１ｂに取り付けられて、基部１０ｃとフランジ部１１ｃとの間に介在されている。
このバネ部材１２によって、可動体１１が常時後述する操作部材１３方向に弾圧（押圧）されると共に、フランジ部１１ｃが係脱部１０ｂの内面に弾圧（係止）されて、可動体１１の抜け止めが行われている。
【００３６】
このような構成によってクリック機構Ｋが形成され、可動体１１の凸部１１ｄが押された際、可動体１１は、バネ部材１２のバネ性に抗して直線移動する。
この時、膨出部１１ａは、弾性脚１０ａの弾性に抗して係脱部１０ｂを外方に押し出した後、係脱部１０ａ間から抜け出して、膨出部１１ａが係脱部１０ｂに対して係脱動作を行って、クリック感が得られるようになっている。
【００３７】
また、膨出部１１ａが係脱部１０ｂから抜け出た時、凸部１１ｄは、係脱部１０ｂ間の隙間部に位置して、凸部１１ｄが係脱部１０ｂ間から外れないようにしなっている。
【００３８】
そして、可動体１１の押圧力が解除されると、可動体１１はバネ部材１２によって押し戻されて、フランジ部１１ｃが係脱部１０ｂに係止した状態となる。
その間において、膨出部ａは、弾性脚１０ａの弾性に抗して係脱部１０ｂを外方に押し出した後、係脱部１０ａ間から元の位置に抜け出して、膨出部１１ａが係脱部１０ｂに対して係脱動作を行い、可動体１１がクリック感を持って元の状態に復帰するようになる。
【００３９】
なお、この実施例では、可動体１１が第１の押圧動作時に、係脱部１０ｂによってクリック感を持たせるようにしたが、係脱部が可動体１１の移動方向に複数個設けられ、可動体１１の第１の押圧動作に続く第２の押圧動作によっても、係脱部１０ｂとの係脱動作を行って、クリック感を持たせるようにしても良い。
【００４０】
そして、このように一つのブロック体で形成されたクリック機構Ｋは、基部１０ｃが枠体１の一方の側壁１ｂに載置され、取付孔１０ｅにガイド部材９が挿通されて、ガイド部材９によって枠体１に取り付けられている。
なお、基部１０ｃは、ガイド部材９に挿通されているだけであり、ガイド部材９の軸線方向に移動可能な状態で、ガイド部材９に保持されている。
【００４１】
合成樹脂の成型品からなる操作部材１３は、基部１３ａと、この基部１３ａに埋設された金属板からなる操作部１３ｂと、基部１３ａの孔に取り付けられた複数の軸受け部１３ｃと、基部１３ａの下面に取り付けられた第１，第２の摺動子１４，１５を有する。
【００４２】
この操作部材１３は、軸受け部１３ｃにガイド部９が挿通されて取り付けられ、ガイド部９をガイドにしてスライド移動可能となると共に、第１の摺動子１４は、抵抗体３と導電体５、及び導電体４ａ上を摺動し、また、第２の摺動子１５は、共通接点部６と接点部７，８上を摺動するようになっていて、スイッチ部Ｓ１が構成されている。
【００４３】
次に、このような構成を有する本発明の電気部品（例えば、スライド型可変抵抗器）の動作を説明すると、図１，図４に示す状態では、第１の摺動し１４が抵抗体３と導電体５上にあり、又、第２の摺動子１５は、共通接点部６と接点部７上に位置して、スイッチ部Ｓ１は、共通接点部６と接点部７間を短絡した状態となっている。
【００４４】
この状態で、操作部１３ａを摘んで操作部材１３を矢印Ｚ１，Ｚ２にスライド移動すると、共通接点部６と接点部７間が短絡した状態で、抵抗体３の抵抗値の調整が行われ、これによって、例えば、ミキシングの調整が行われる。
【００４５】
そして、操作部材１３を矢印Ｚ１方向に移動して、移動終端近傍に位置すると、操作部材１３は可動体１１にぶつかって、第１の摺動子１４は、抵抗体３の端部に位置すると共に、第２の摺動子１５は、接点部７の端部に位置した状態となる。
【００４６】
この状態で、操作部材１３を矢印Ｚ１方向に移動すると、図５に示すように、バネ部材１２に抗して可動体１１が直線移動されるため、膨出部１１ａは、弾性脚１０ａの弾性に抗して係脱部１０ｂを外方に押し出した後、図６に示すように、係脱部１０ａ間から抜け出して、膨出部１１ａが係脱部１０ｂに対して係脱動作を行い、これによって、操作部材１３はクリック感が得られるようになっている。
また、係脱動作が行われた後、操作部材１３は、側壁１ｂにぶつかって、移動が停止されるようになる。
【００４７】
その間において、第１の摺動子１４は、導電体４ａ、５を接続すると共に、第２の摺動子１５は、共通接点部６と接点部８の間を短絡して、電気的な信号の切換が行われ、これによって、例えば、スピーカーに送る信号を、ミキシング後の信号から原音の状態に切り替わる。
【００４８】
次に、図６の状態で操作部材１３の作動力を解除すると、バネ部材１２によって、可動体１１と操作部材１３は、押圧前の状態に戻り、第１の摺動子１４は、抵抗体３の端部に位置すると共に、第２の摺動子１５は、接点部７の端部に位置した状態となる。
【００４９】
また、この実施例では、操作部材１３を手動で操作するもので説明したが、操作部材１３をモータ駆動による操作でも良く、この場合、操作部材１３は、ミキシングにおいて、ベルトを介してモータで操作される。
そして、モータによって操作部材１３が矢印Ｚ１方向に移動され、操作部材１３が可動体１１にぶつかると、操作部材１３の移動が停止し、操作部材１３は、モータによって矢印Ｚ１方向への移動ができないように、バネ部材１２のバネ力の方がモータの駆動力より大きくなるようにしてあり、操作部材１３を矢印Ｚ１方向に、更に移動する場合は、手動によって行うようにしている。
これによって、モータによる駆動によって、不用意に原音状態になるのを防止している。
【００５０】
また、図７は本発明の電気部品のクリック機構の第２実施例を示し、この第２実施例について説明すると、クリック機構Ｋは、可動接点１６と固定接点１７からなるスイッチ部Ｓ２が支持部材１０に取り付けられて、一つのブロック体として形成されており、クリック機構Ｋのその他の構成は、前記第１実施例と同様であるの同一部品に同一番号を付し、その説明を省略する。
【００５１】
また、このクリック機構Ｋは、回転型可変抵抗器やロータリスイッチからなる回転型電気部品１８に組み合わされて、可動体１１が操作軸（操作部材）１９と対向した状態に配置されている。
【００５２】
そして、操作軸１９を回転すると、回転型電気部品１８が操作されると共に、操作軸１９を軸方向に押圧すると、可動体１１が直線移動して、第１実施例と同様に、操作軸１９がクリック感を持って操作されると共に、可動体１１によって可動接点１６が移動して固定接点１７に接触して、電気的な信号の切換が行われる。
【００５３】
また、操作軸１９の押圧力を解除すると、可動接点１６とバネ部材１２によって、可動体１１と操作軸１９が元の状態に戻ると共に、可動接点１６と固定接点１７との間が非導通状態となる。
【００５４】
なお、この実施例では、コイルバネからなるバネ部材１２を使用したもので説明したが、バネ部材１２を無くして、可動接点１６のバネ性を利用するようにしても良い。
【００５５】
また、図８は本発明の電気部品のクリック機構の第３実施例を示し、この第３実施例について説明すると、クリック機構Ｋは、前記第２実施例と同様の構成を有し、その構成は、前記第２実施例と同一部品に同一番号を付し、その説明を省略する。
【００５６】
また、この第３実施例は、クリック機構Ｋ上において、軸部２０ａを支点として回動可能な摘み部（操作部材）２０が設けられた回動型電気部品であり、この摘み部２０を押圧して回動動作を行うと、可動体１１が押されて直線移動する。
そして、それ以降の動作は、前記第２実施例と同様であるので、ここではその説明を省略する。
【００５７】
上記のように、本発明のクリック機構Ｋは、スライド型電気部品、回転型電気部品、及び回動型電気部品に適用でき、その何れの場合においても、クリック機構Ｋは操作部材と別体に設けられて、クリック機構Ｋの有無に関係なく、操作部材は共通化を図れるものである。
【００５８】
【発明の効果】
本発明の電気部品のクリック機構は、互いに中心部に向かい合った係脱部を有する複数の弾性脚と、係脱部と係脱を行う膨出部、及びこの膨出部と一体に設けられた軸部を有する可動体と、この可動体と別体に設けられて、可動体を操作する操作部材とを備え、可動体の軸部は、係脱部間を通って延びて配置され、可動体が操作部材によって直線移動した時、膨出部は、弾性脚の弾性に抗して係脱部を外方に押し出した後、係脱部間から抜け出して、膨出部が係脱部に対して係脱動作を行うことによって、操作部材の移動にクリック感を持たせるようにした構成とした。
このように、弾性脚と可動体とによってクリック機構が構成されるため、その構成が簡単で、生産性が良く、小型で、安価なクリック機構が得られる。
また、クリック機構は、操作部材と別体に構成されるため、クリック機構の有無に関係なく、操作部材が形成できて、操作部材を共通化できる。
【００５９】
また、可動体を押圧するバネ部材を有し、操作部材によって可動体が直線移動した時、可動体は、バネ部材のバネ性に抗して移動すると共に、操作部材の操作力が解除された時、バネ部材によって可動体が元の位置の戻されるようにしたため、操作部材を自動復帰させることができると共に、特に、プッシュ型のスイッチに使用して好適なものが得られる。
【００６０】
また、バネ部材がコイルバネで形成されたため、操作力を大きくできて、特に、スタジオミキサーに使用して好適なものが得られる。
【００６１】
また、軸部にフランジ部が設けられ、フランジ部が係脱部の内面に係止されて、可動体の抜け止めを行うようにしたため、可動体の抜け止めの簡単なものが得られる。
【００６２】
また、膨出部が球状で形成されたため、その形状が簡単で、生産性が良好であると共に、クリック力の大きなものが得られる。
【００６３】
また、可動体が金属材で形成されると共に、弾性脚、及び係脱部が合成樹脂で形成されたため、可動体と弾性脚、及び係脱部との間の滑りの滑らかなものが得られる。
【００６４】
また、膨出部と当接する係脱部の外面には、膨出部を受け入れて、膨出部の位置決めを行う凹部が設けられたため、通常時における可動体の位置を一定にできて、操作の確実なものが得られる。
【００６５】
また、膨出部の端部には凸部が設けられ、可動体が移動した時、凸部が係脱部間に位置するようにしたため、係脱後の可動体の保持ができて、可動体の脱落のないものが得られる。
【００６６】
また、複数の弾性脚を繋ぐ基部を有し、係脱部を設けた弾性脚と基部とで一つの支持部材が構成され、可動体が基部と係脱部によって直線移動可能に保持され、可動体とバネ部材が支持部材に取り付けられて、一つのブロック体として形成されたため、クリック機構の取付が簡単で、生産性が良好であると共に、クリック機構の取付位置も容易に変更できて、融通性のあるものが得られる。
また、膨出部と係脱部の位置精度も高めることができる。
【００６７】
また、基部には、側面が開放した切り欠き部を有し、軸部が切り欠き部に挿入可能としたため、可動体の組み込みが容易となって、生産性の良好なものが得られる。
【００６８】
また、支持部材は、操作部材を保持する枠体に取り付けられ、操作部材の移動時、操作部材は、可動体の係脱動作によってクリック感が得られると共に、電気的信号の切換が行われるようにしたため、クリック機構の取付が簡単で、生産性が良好であると共に、クリック機構の取付位置も容易に変更できて、融通性のあるものが得られる。
【００６９】
また、操作部材はスライド移動が可能となし、操作部材の移動終端近傍で、可動体が係脱動作を行うようにしたため、特に、スタジオミキサーに使用して好適なものが得られる。
【００７０】
また、支持部材にはスイッチ部が設けられて、一つのブロック体として形成され、可動体の移動によってスイッチ部が操作されるようにしたため、このブロック体が一つのプッシュ型スイッチとして構成できて、種々の電気部品に簡単に適用できるものが得られる。
【図面の簡単な説明】
【図１】本発明の電気部品のクリック機構の第１実施例に係る平面図。
【図２】本発明の電気部品のクリック機構の第１実施例に係る要部断面図。
【図３】本発明の電気部品のクリック機構の第１実施例に係り、クリック機構を示す斜視図。
【図４】本発明の電気部品のクリック機構の第１実施例に係り、絶縁基体の平面図。
【図５】本発明の電気部品のクリック機構の第１実施例に係り、その動作を示す説明図。
【図６】本発明の電気部品のクリック機構の第１実施例に係り、クリック動作後の状態を示す説明図。
【図７】本発明の電気部品のクリック機構の第２実施例を示す要部断面図。
【図８】本発明の電気部品のクリック機構の第３実施例を示す要部断面図。
【図９】従来の電気部品のクリック機構に係る分解斜視図。
【図１０】従来の電気部品のクリック機構を示す要部の平面図。
【図１１】従来の電気部品のクリック機構の動作を示す説明図。
【符号の説明】
１  枠体
１ａ  壁部
１ｂ  側壁
２  絶縁基板
３  抵抗体
４ａ  導電体
４ｂ  導電体
５  導電体
６  共通接点部
７  接点部
８  接点部
９  ガイド部材
１０  支持部材
１０ａ  弾性脚
１０ｂ  係脱部
１０ｃ  基部
１０ｄ  切り欠き部
１０ｅ  取付孔
１１  可動体
１１ａ  膨出部
１１ｂ  軸部
１１ｃ  フランジ部
１１ｄ  凸部
１２  バネ部材
１３  操作部材
１３ａ  基部
１３ｂ  操作部
１３ｃ  軸受け部
１４  第１の摺動子
１５  第２の摺動子
Ｋ  クリック機構
Ｓ１  スイッチ部
１６  可動接点
１７  固定接点
１８  回転型電気部品
１９  操作軸（操作部材）
２０  摘み部（操作部材）
２０ａ  軸部
Ｓ２  スイッチ部
【図１】
2004260005.tif 000003
【図２】
2004260005.tif 000004
【図３】
2004260005.tif 000005
【図４】
2004260005.tif 000006
【図５】
2004260005.tif 000007
【図６】
2004260005.tif 000008
【図７】
2004260005.tif 000009
【図８】
2004260005.tif 000010
【図９】
2004260005.tif 000011
【図１０】
2004260005.tif 000012
【図１１】
2004260005.tif 000013